(57)【要約】【課題】  バーナプレートやその周囲の断熱材の一部が脱落するなどし、予混合ガスがバーナプレート側面から漏れ出すことで、燃焼状態の悪化や逆火不具合が発生するということを防止する。【解決手段】  円筒形であるバーナ本体１の先端近くに円板形のバーナプレート７を設け、バーナ本体１のバーナプレート７より上流側を混合部、バーナプレート７より下流側を燃焼部としておき、混合部で燃料ガスと燃焼用空気を混合した予混合ガスをバーナプレート７の先側に向けて噴射し、バーナプレート７の下流側で燃焼を行う予混合バーナにおいて、バーナプレートの燃焼部側にバーナプレートの周縁部を押さえ付ける金属製の押さえリング２を設けており、押さえリング２は円弧の一部を切り欠いたものを使用し、バーナ本体先端近くの側壁に貫通孔を開けて貫通孔に固定具６を貫通させることにより、押さえリング２を固定具６とバーナプレート７で挟み込むようにして固定する。【選択図】図１
2010096411.tif 000002
【特許請求の範囲】
【請求項１】
円筒形であるバーナ本体の先端近くに円板形のバーナプレートを設け、バーナ本体のバーナプレートより上流側を混合部、バーナプレートより下流側を燃焼部としておき、混合部で燃料ガスと燃焼用空気を混合した予混合ガスをバーナプレートの先側に向けて噴射し、バーナプレートの下流側で燃焼を行う予混合バーナにおいて、バーナプレートの燃焼部側にバーナプレートの周縁部を押さえ付ける金属製の押さえリングを設けており、押さえリングは円弧の一部を切り欠いたものを使用し、バーナ本体先端近くの側壁に貫通孔を開けて貫通孔に固定具を貫通させることにより、押さえリングを固定具とバーナプレートで挟み込むようにして固定していることを特徴とする予混合バーナ。
【請求項２】
請求項１に記載の予混合バーナにおいて、押さえリングの切り欠き部分には、短い円弧形であって押さえリングの切り欠き部を覆う締め付け金具を設置し、締め付け金具によって押さえリングの切り欠き部をふさぐようにしていることを特徴とする予混合バーナ。
【発明の詳細な説明】
【技術分野】
【０００１】
本発明は、バーナ本体の先端部にバーナプレートを設置しておき、予混合ガスをバーナプレートの先側に向けて噴射して燃焼を行う予混合バーナに関するものである。
【背景技術】
【０００２】
円筒形であるバーナ本体の先端近くに円板形のバーナプレートを設け、バーナ本体のバーナプレートより上流側を混合部、バーナプレートより下流側を燃焼部としておき、混合部で燃料ガスと燃焼用空気を混合した予混合ガスをバーナプレートの先側に向けて噴射し、バーナプレートの下流側で燃焼を行う予混合バーナがある。この予混合バーナでのバーナプレートの固定は、特公平２−１９３６８号公報に記載の発明では締付金具１４を使用して固定している。特公平２−１９３６８号公報での締付金具１４は、断面がＬ字形であって一方の面はケーシング部材の外側で固定しておき、バーナプレート（助燃体１）の面と平行となるツメ部でバーナプレートを固定するようにしている。このバーナで燃焼の発停を行うと、締付金具１４には熱による膨張と収縮が発生し、締付金具１４はケーシング部材の外側で固定しているため、熱膨張と収縮に合わせてバーナプレートを固定しているツメ部分が上下方向に移動することになる。締付金具１４による熱応力は、バーナプレートの厚さ方向に掛かり、応力が繰り返し掛かることでバーナプレートを破損させることがある。そのため、特公平２−１９３６８号公報の発明では、締付金具１４とバーナプレートの間に円盤状の断熱材（第２の断熱材１２）を挟み、断熱材によって応力を吸収させるようにしてる。
【０００３】
上記のようにすれば、断熱材がクッションとなり、バーナプレートに対する応力を低減することができる。しかし、断熱材は繊維素材を重ね合わせたものであり、予混合ガスがバーナプレートから噴出する際の流動や、燃焼のオン−オフ動作などの影響を受けけて劣化すると、組織の一部が崩れるということがあった。断熱材の組織が崩れて脱落すると、バーナプレートとケーシング部材の間に設置している第１の断熱材も脱落することになり、バーナプレートとケーシング部材の間に隙間ができることになる。バーナプレートは微細な孔を多数開けていることよって、予混合ガスをバーナプレートの先側へ噴射するものであるが、バーナプレートとバーナ本体の間に隙間ができると、予混合ガスの一部がバーナプレートの周囲をショートパスして漏れ出すことになる。予混合ガスがバーナプレート側面から漏れ出すことになると、燃焼状態の悪化や逆火不具合が発生するということになっていた。
【特許文献１】特公平２−１９３６８号公報
【発明の開示】
【発明が解決しようとする課題】
【０００４】
本発明が解決しようとする課題は、バーナプレートやその周囲の断熱材の一部が脱落するなどし、予混合ガスがバーナプレート側面から漏れ出すことで、燃焼状態の悪化や逆火不具合が発生するということを防止することにある。
【課題を解決するための手段】
【０００５】
請求項１に記載の発明は、円筒形であるバーナ本体の先端近くに円板形のバーナプレートを設け、バーナ本体のバーナプレートより上流側を混合部、バーナプレートより下流側を燃焼部としておき、混合部で燃料ガスと燃焼用空気を混合した予混合ガスをバーナプレートの先側に向けて噴射し、バーナプレートの下流側で燃焼を行う予混合バーナにおいて、バーナプレートの燃焼部側にバーナプレートの周縁部を押さえ付ける金属製の押さえリングを設けており、押さえリングは円弧の一部を切り欠いたものを使用し、バーナ本体先端近くの側壁に貫通孔を開けて貫通孔に固定具を貫通させることにより、押さえリングを固定具とバーナプレートで挟み込むようにして固定していることを特徴とする。
【０００６】
請求項２に記載の発明は、前記の予混合バーナにおいて、押さえリングの切り欠き部分には、短い円弧形であって押さえリングの切り欠き部を覆う締め付け金具を設置し、締め付け金具によって押さえリングの切り欠き部をふさぐようにしていることを特徴とする。
【発明の効果】
【０００７】
押さえリングを金属製とすることで、押さえリングの一部が崩れて脱落するということはなくなり、押さえリングは一部を切り欠いているため、押さえリングが熱によって伸び縮みしても、押さえリングがバーナプレート表面から浮き上がるなどの現象は発生しない。そのため、バーナプレートの周囲に隙間ができて周囲から予混合ガスの漏れ出すということをなくすことができ、燃焼状態の悪化や逆火不具合の発生を防止することができる。そして押さえリングの切り欠き部分については、切り欠き部を覆うように締め付け金具を設置しているため、切り欠き部分の断熱材が脱落するということも防止できる。また、押さえリングの固定は、バーナ本体の側壁を貫通させたネジによって挟み込むようにして固定しているため、固定具の伸び縮みによってバーナプレートへ応力が掛かるということはなく、固定具によるバーナプレートの破損も防止することができる。
【発明を実施するための最良の形態】
【０００８】
本発明の一実施例を図面を用いて説明する。図１は本発明を実施している予混合バーナの組立図、図２は予混合バーナの先端部分を抜き出した断面図である。バーナ本体１は円筒形であり、下方に向けて燃焼を行うものである。バーナ本体１の先端近くにセラミック製であって円板形のバーナプレート７を設け、バーナプレート７より上流側に当たるバーナ本体１の内部は燃焼用空気と燃料ガスを混合する混合部９、バーナプレートより下流側は燃焼部１０となる。バーナ本体１の元側には、燃焼用空気を整流するウインドボックス（図示せず）と、燃料ガス供給手段（図示せず）を設け、混合部９へ燃焼用空気と燃料ガスを供給するようにしておく。
【０００９】
バーナは混合部９で燃焼用空気と燃料ガスを混合しておき、予混合ガスをバーナプレートの先側に向けて噴射するものであり、バーナプレート７には予混合ガスを噴射する多数の小孔を開けている。バーナプレート７の周囲は、バーナ本体１の壁面との間に隙間ができることを防止するため、バーナプレート７の周りに加熱膨張マット５を巻いて設置する。耐火性があり、加熱すると膨張するマットを巻いたバーナプレート７をバーナ本体１の中に設置しておくと、１度加熱すれば加熱膨張マット５が膨張するため、バーナプレート７とバーナ本体１の隙間をなくすことができる。ただし、加熱膨張マット５はバーナプレート７に比べると割れて脱落しやすい性質があるため、加熱膨張マット５及びバーナプレート７の周縁部を下方側から押さえつける金属製の押さえリング２を設ける。押さえリング２は円弧の一部を切り欠いている板状のリングであり、押さえリング２の切り欠き部とは離れた箇所に位置ずれ防止用ネジ孔８を設けている。
【００１０】
バーナ本体１には先端近くの側壁に複数の貫通孔を開けており、ネジとナットなどからなる固定具６を壁面の貫通孔に貫通させることにより、押さえリング２及びバーナプレート７が脱落しないように固定する。特定の貫通孔に押さえリング２の位置ずれ防止用ネジ孔８の位置を合わせることで押さえリング２の位置を決め、バーナ本体の壁面と位置ずれ防止用ネジ孔８を固定具６で貫通させてバーナ本体１と押さえリング２を固定する。他の貫通孔には、固定具６を貫通させることにより、バーナ本体１内のバーナプレート７の下側に固定具６の先端を突出させておき、押さえリング２を固定具６とバーナプレート７によって挟み込むようにすることで、押さえリング２を固定する。押さえリング２の固定には、短い円弧形であってネジ孔を開けている締め付け金具３によっても固定する。円弧形の締め付け金具３は、押さえリング２の切り欠き部４を覆うように設置し、締め付け金具３もバーナ本体壁面を貫通する固定具６によって固定する。押さえリング２に位置ずれ防止用ネジ孔８を設け、位置ずれ防止用ネジ孔８の位置を固定しておくことで、切り欠き部４の位置は定まるため、切り欠き部４に当たる位置に合わせて締め付け金具３を設置する。
【００１１】
バーナの燃焼を行うと、金属製の押さえリング２は膨張するが、押さえリング２には切り欠き部４を設けているために熱応力を逃がすことができる。切り欠き部４を設ければ、その部分に押さえリング２はないため、押さえリング２では加熱膨張マット５を押さえることができないが、切り欠き部４を覆うように小さな円弧形の締め付け金具３を設けることで、締め付け金具３によって切り欠き部４部分の加熱膨張マット５を押さえ付けることができる。
【図面の簡単な説明】
【００１２】
【図１】本発明を実施している予混合バーナの組立図
【図２】本発明の予混合バーナの先端部分を抜き出した断面図
【符号の説明】
【００１３】
１  バーナ本体      
２  押さえリング          
３  締め付け金具          
４  切り欠き部            
５  加熱膨張マット          
６  固定具          
７  バーナプレート              
８  位置ずれ防止用ネジ孔            
９  混合部        
１０  燃焼部            
【図１】
2010096411.tif 000003
【図２】
2010096411.tif 000004